(57)【要約】      （修正有）【課題】競艇場の円錐形ターンマークに接続される円筒形消波装置の改良を計る。【解決手段】円錐形ターンマークＡの円筒形消波装置Ｂ内の円筒形ブロック内上部半円形収納室内に収納された複数本の消波円筒管と、下部半円形収納室内で中心から所要角度で形成された一対の扇形浮力体が下部の扇形水室を挟み込む円筒形消波ブロックとし、複数の円筒形消波ブロックをジョイントで連結して円筒形消波装置とし、その底面長手方向に逆Ｕ字形ウエイトバランサ２８を有する複数の円筒形消波ブロックをジョイントで連結した円筒形消波装置Ｂとし、その直線性を保持して上下動や蛇行の捩れや、宣伝・広告等の水没を防止し、その周辺に起る波を確実に減衰、消波する。【選択図】図２
2010150783.tif 000002
【特許請求の範囲】
【請求項１】
所要長さと直径を有する第１網状円筒体と、該第１網状円筒体と同じ長さとそれよりやや小径の直径を有し、該第１網状円筒体内に収納された第２網状円筒体と、該第２網状円筒体内に形成された上部半円形収納室及び下部半円形収納室と、該上部半円形収納室内に収納された複数本の消波円筒管と、該下部半円形収納室内で中心から所要角度を有する一対の扇形浮力体（ハの字形）を形成し、該扇形浮力体の下辺と該下部半円形収納室の内辺との間に形成された大きな扇形水室と、所要幅で周囲に一定間隔でボルト貫通孔を穿設し、該円筒形消波ブロックの両端に夫々一体に嵌合された一対の金属製リングと、隣接する該金属製リング内の周囲に等間隔で固着されたアングル・バー・ジョイントと、該各アングル・バー・ジョイントのボルト貫通孔内にボルトを螺合し、ナットを介して順次所要長さに連結された直線状円筒形消波装置と、両端の該円筒形消波ブロックに夫々一体に設けられたエンドカバーと、該円筒形消波装置の外周面下部長手方向に一体に設けられた逆Ｕ字形ウエイトバランサとから成る競艇場のターンマークに接続される消波装置。
【請求項２】
該円筒形消波装置の該両エンドカバーの水平方向中心から該円錐形ターンマークの底板の中心に、内部にチェーン又はワイヤを貫通させたスプリングを連結したターンマーク接続金具を設けて成る請求項１記載の競艇場のターンマークに接続された請求項１消波装置。
【請求項３】
該円筒形消波装置の該逆Ｕ字形ウエイトバランサの両側板の長手方向所要箇所にボルト貫通孔を形成し、該ボルト貫通孔と重量調整用錘内に支持棒を貫通、取外し自在とし、所望に応じ所要の該重量調整用錘を選択して該逆Ｕ字形ウエイトバランサの該重量調整用錘内に該支持棒を貫通して水面に対する該円筒形消波装置の重量を調節自在として成る請求項１又は２のいずれかに記載された競艇場のターンマークに接続される消波装置。
【請求項４】
所要に応じ、該逆Ｕ字形ウエイトバランサの該両側壁の長手方向所要箇所の該ボルト貫通孔位置と所要重量調整用錘とを選択して該消波体の重量を調節自在として成る請求項１、２又は３のいずれかに記載された競艇場のターンマークに接続される消波装置。
【発明の詳細な説明】
【技術分野】
【０００１】
この発明は、競艇場の円錐形ターンマークに接続される消波装置に関し、更に詳しくは、競艇場水面中央に設けられる２個の円錐形ターンマークに接続される円筒形消波装置の改良に関する。
【背景技術】
【０００２】
図１〜３に示す様に、競艇場においては、周囲を赤と白の警告色に交互に着色された２個の円錐形ターンマークＡが、競艇場のスタンド正面の水面に３００ｍの間隔で浮遊状態で繋留され、円錐形ターンマークＡの底面は、シャックル４０、チェーン４２等で約３．５ｍの水底のアンカーＥに固定されている。
【０００３】
そして各ターンマークＡには、夫々２０ｍ以内の長さと直径約６３０ｃｍを有する各１本の略円筒形網状消波装置Ｂを係留バンド３４で連結し、水面に浮遊状態とすることが競艇法（昭和２６年法律第２４２号）で義務づけられている。
【０００４】
従来提案されている競艇場の円錐形ターンマークに接続される消波装置としては、
【特許文献１】特開２００１―１６４５３６，
【特許文献２】特開２００１―１６４５３７，
【特許文献３】特開２００２―２０５６８４、
【特許文献３】特開２００４―２７６７４５、等があげられる。
【発明の開示】
【発明が解決しようとする課題】
【０００５】
（１）図１０〜１４に示す通り、公知の競艇場の円錐形ターンマークＡに夫々浮遊状態で接続された円筒形消波装置Ｂは、長さ２０ｍの連続ネット状外筒５０内に複数本の筒状小管（ポリエチレン発泡体）５２・・・を紐５４等で縛った束を、曳き入れ作業を数回繰返しており、直径や円形状を形成する構造物が一切設けられてなく、紐又は金属製バンド５４を円筒形消波装置Ｂの周囲に設け、その下方で略中央の該筒状小管５２内にはワイヤロープ５６、亜鉛メッキ鋼管５８を貫通して外形を整えているが、この製作作業は、全て手作業による組立てであるから、一つ一つの製品にばらつきが多く、規格寸法の再現性がない。
【０００６】
（２）図１４に示す様に、競艇場においては、６隻のレース艇が競走水面を１周約３５秒で３周回一斉に競走し、直線区間では最高速度約８０〜８３ｋｍ／ｈの高速度で競走し、第１、２番ターンマークをターンし、楕円形を描きながら競走するが、第１、２番ターンマークの周辺で大きな波を起こし、その影響で捩れた該円筒形消波装置Ｂが喫水線に一直線を保持出来なくなり、消波効果が減少し、宣伝・広告等を有する該円筒形消波装置Ｂが蛇行し、水没するので、宣伝・広告等が無くなる。
【０００７】
（３）同じく図１４において、近年レース艇のエンジンの性能が向上し、高速度でレース艇が該円錐形ターンマークＡをターンする際、それに接触すると、該円錐形ターンマークＡが定位置から点線で示す箇所まで押しやられ、該円筒形消波装置Ｂを損傷し、定位置に戻るまで時間がかり、次のターンに間に合わなくなる。
【０００８】
（４）そこで図１３において、公知の該円筒形消波装置Ｂと該円錐形ターンマークＡの部分平面略図に示す通リ、該円筒形消波装置Ｂの逆Ｕ字形ウエイトバランサの側板端部から該円錐形ターンマークＡの底板中心に向かってチェーン４２、４２で三角形を描く様に連結し、該円錐形ターンマークＡを出来るだけ早く定位置に戻る等にしているが効果的でない。
【０００９】
（５）図１１、１２に示す通リ、該円錐形ターンマークＡに接続された該円筒形消波装置Ｂの両端部の連続ネット状外筒の仕上げは、折畳んで紐５４で縛る方式なので、商品価値が上がらない。
【００１０】
（６）更に各単位の該円筒形消波装置Ｂを接続するために、その中心部にワイヤロープ５２を貫通しているが、その両端でリングを作り、チェーン４２等で接続するため、該円錐形ターンマークＡに接触し易く、スパン混撚ロープ等で縛り、該円筒形消波装置Ｂの下部に係留バンド連結金具を設けているから、接触したレース艇を損傷し易い。
【００１１】
（７）該円錐形ターンマークＡの該円筒形消波装置Ｂに接続された筒状小管５０、５０・・・を紐、針金、インシュレーティング・ロック（絶縁性締め金）等で縛っているので耐久性が得られない。
【００１２】
（８）図１５に示す通り、該円錐形ターンマークＡの付近では、エンジンの回転を上げ下げするので、水質はガソリンとオイルの混合物で汚染され、しかも浮力体である円筒形消波装置Ｂの耐薬品性、耐油性に限界があるので、経年変化により直径が減少し（痩せる状態）、正常な喫水線が保持できず、２〜３年で沈みがちとなるので交換せざるをえない。
【００１３】
（９）同じく図１２〜１５において、該円錐形ターンマークＡに接続された該円筒形消波装置Ｂは、水面で蛇行やその両端が前後方向に上下動するので喫水線に一直線を保持できず、消波効果も不十分であり、その影響で該円筒形消波装置Ｂが水没するので宣伝・広告等が得られなくなる。
【００１４】
（１０）そして公知の競艇場の該円錐形ターンマークＡの該円筒形消波装置Ｂは、それを旋廻競走する６隻のレース艇の波浪を受けて両端が沈み易く、しかも長手方向に回転し易い。
【００１５】
（１１）又公知の競艇場の該円錐形ターンマークＡの該円筒形消波装置Ｂは、水面に対する重量調節が殆ど不可能であった。
【００１６】
（１２）公知の競艇場の該円錐形ターンマークＡの該円筒形消波装置Ｂを海水の競艇場水面に設置した場合、その底に牡蠣が付着して増殖するので、その重量で浮力が減少して水没し、牡蠣の除去作業が海水面であるから難工事となる。
【課題を解決するための手段】
【００１７】
この発明は、前述の課題を解決するものであり、その第１要旨は、所要長さと直径を有する第１網状円筒体と、該第１網状円筒体と同じ長さとそれよりやや小径の直径を有し、該第１網状円筒体内に収納された第２網状円筒体と、該第２網状円筒体内に形成された上部半円形収納室及び下部半円形収納室と、該上部半円形収納室内に収納された複数本の消波円筒管と、該下部半円形収納室内で中心から所要角度を有する一対の扇形浮力体（ハの字形）を形成し、該扇形浮力体の下辺と該下部半円形収納室の内辺との間に形成された大きな扇形水室と、所要幅で周囲に一定間隔でボルト貫通孔を穿設し、該円筒形消波ブロックの両端に夫々一体に嵌合された一対の金属製リングと、隣接する該金属製リング内の周囲に等間隔で固着されたアングル・バー・ジョイントと、該各アングル・バー・ジョイントのボルト貫通孔内にボルトを螺合し、ナットを介して順次所要長さに連結された円筒形消波装置と、両端の該円筒形消波ブロックに夫々一体に設けられたエンドカバーと、該円筒形消波装置の外周面下部長手方向に一体に設けられた逆Ｕ字形ウエイトバランサとから成る競艇場のターンマークに接続される消波装置である。
【００１８】
この発明の第２要旨は、該該円筒形消波装置の該両エンドカバーの水平方向中心から該円錐形ターンマークの底板の中心に、内部にチェーン又はワイヤを貫通させたスプリングを連結したターンマーク接続金具を設けて成る競艇場のターンマークに接続された消波装置である。
【００１９】
この発明の第３要旨は、所要に応じ、該円筒形消波装置の該逆Ｕ字形ウエイトバランサの該両側壁の長手方向所要箇所の該ボルト貫通孔位置と所要重量調整用錘とを選択して該円筒形消波装置の重量を調節自在として成る競艇場の円錐形ターンマークに接続された消波装置である。
【００２０】
この発明の第４要旨は、所要に応じ、該逆Ｕ字形ウエイトバランサの該両側壁の長手方向所要箇所の該ボルト貫通孔位置と所要重量調整用錘とを選択して該消波体の重量を調節自在として成る競艇場のターンマークに接続された消波装置である。
【発明の効果】
【００２１】
（１）この発明に係る競艇場の円錐形ターンマークに接続される円筒形消波装置は、円筒形ブロック内の上部半円形収納室内に複数本の消波円筒管を収納し、下部半円形収納室内下部の扇形水室の一対の扇形浮力体（ハの字形）が該扇形水室内の水を挟込む作用をし、その回転を防止し、下部の逆Ｕ字形ウエイトバランサにより円筒形消波装置の直線性を保持し、消波装置周辺に起こる波を確実に減衰、消波する効果を有し、その宣伝・広告等の効果が損なわれない。
【００２２】
（２）そしてこの発明に係る競艇場の円錐形ターンマークに接続される円筒形消波装置は、該円筒形消波装置の該両エンドカバーの水平方向中心線と両円周辺近くとの交差点から該円錐形ターンマークの底板の中心に向かって内部にチェーン又はワイヤを貫通させたスプリングを連結したターンマーク接続金具を設けたので、レース艇が該円錐形ターンマークに接触して該円筒形消波装置方向に移動しても短時間に定位置に復帰出来るのでレースの続行に支障がない。
【００２３】
（３）加えて競艇場の円錐形ターンマークに接続される消波装置によれば、該円筒形消波装置を海水の競艇場水面に設置した場合でも、該消波装置の外周面下部長手方向に一体に設けられた逆Ｕ字形ウエイトバランサの底に牡蠣が付着し難くなり、仮に牡蠣が付着してもその除去作業が容易となる。
【００２４】
（４）前述の様に、この発明に係る競艇場の円錐形ターンマークの消波装置は、隣接する該円筒形消波ブロック同士の中心をジョイントにより接続し、該円筒形消波装置の周囲に連結金具やロープ等を設けていないから、仮に旋回航走するレース艇が衝突してもレース艇を損傷しない。
【００２５】
（５）加えてこの発明に係る競艇場の円錐形ターンマークの消波装置は、逆Ｕ字形ウエイトバランサの両側壁の長手方向所要箇所のボルト貫通孔の位置と、重量調整用錘を適宜選択することにより、該円筒形消波装置の重量や水面に対する浮力調節が格段に容易となる。
【００２６】
（６）最後にこの発明に係る円筒形消波装置の両端の円筒形消波ブロックに夫々エンドカバーを第２網状円筒体にボルトにより固着し、一体に設けたので、接触機会の多い円錐形ターンマークの損傷や破損を軽減する。
【発明を実施するための最良の形態】
【００２７】
この発明の競艇場におけるレース艇用発着ピットを実施するための最良の形態は、第１網状円筒体と、該第１網状円筒体と同じ長さとそれよりやや小径の直径を有し、該第１網状円筒体内に収納された第２網状円筒体と、該第２網状円筒体内に形成された上部半円形収納室及び下部半円形収納室と、該上部半円形収納室内に収納された複数本の消波円筒管と、該下部半円形収納室内で中心から所要角度を有する一対の扇形浮力体（ハの字形）を形成し、該扇形浮力体の下辺と該下部半円形収納室の内辺との間に形成された大きな扇形水室と、所要幅で周囲に一定間隔でボルト貫通孔を穿設し、該円筒形消波ブロックの両端に夫々一体に嵌合された一対の金属製リングと、隣接する該金属製リング内の周囲に等間隔で固着されたアングル・バー・ジョイントと、該各アングル・バー・ジョイントのボルト貫通孔内にボルトを螺合し、ナットを介して順次所要長さに連結された直線状円筒形消波装置と、両端の該円筒形消波ブロックに夫々一体に設けられたエンドカバーと、該円筒形消波装置の外周面下部長手方向に一体に設けられた逆Ｕ字形ウエイトバランサと、ターンマーク接続金具とから成る競艇場のターンマークに接続される消波装置である。
【実施例】
【００２８】
図１〜３において、請求項１記載の発明に係る競艇場の円錐形ターンマークに接続される円筒形消波装置の実施例を説明する。前述の通リ、競艇場水面中央に設けられる２個の円錐形ターンマークＡ、Ａは、周囲を赤と白の警告色に交互に着色されたもので、３００ｍの間隔で水面にチェーン４０により水底のアンカーＦに係留され、係留バンド３４により浮遊状態で繋留されている。
【００２９】
図４に示す様に、該各円錐形ターンマークＡに接続される円筒形消波装置Ｂは、競艇場のスタンド正面の水面に２０ｍ以内の長さと直径６３０ｃｍを有するポリエチレン又はポリエステル製第１網状（メッシュネット等）円筒体１０内に、それと同じ長さとそれよりやや小径の直径を有する第２網状円筒１２を収納して円筒形ブロックＣとする。
【００３０】
該第２網状円筒体１２内の上半部に上部半円形収納室１４ａを、下半部に下部半円形収納室１４ｂを夫々形成する。
【００３１】
該上部半円形収納室１４ａ内にそれと同じ長さと、それより相当狭い直径を有する複数本の消波円筒管１６（メッシュ、ネット等）を収納する。
【００３２】
図２〜４に示す様に、該第２網状円筒体１２内の該下部半円形収納室１４ｂ内で中心から所要角度、例えば２５°を有する一対の扇形浮力体（ハの字形）１８、１８を形成し、該扇形浮力体（ハの字形）１８、１８の下辺と該下部半円形収納室１４ｂの内辺との間に大きな扇形水室２０を形成する。
【００３３】
図４に示す様に、該円筒形ブロックＣの該第１網状（メッシュ、ネット等）円筒体１０の両端に、所要幅と直径を有し、周囲に一定間隔でボルト貫通孔２２ａ・・・を穿設した一対の金属製リング２２、２２を嵌合する。
【００３４】
図４、５において、隣接する該円筒形消波ブロックＣ、Ｃ同士の連結は、該円筒形消波ブロックＣの両端に嵌合される該金属製リング２２、２２の周囲に等間隔で穿設されたボルト貫通孔２２、２２内の少なくとも３箇所に等間隔でアングル・バー・ジョイント２６（直角継ぎ板）を固着し、該アングル・バー・ジョイント２６の隣接辺２６ａに穿設した両方のボルト貫通孔２６ｂ、２６ｂ内にボルト２６ｃ、２６ｃ、ナット２６ｄ、２６ｄを介して順次所要長さに連結して所要長さを有する円筒形消波装置Ｂとする。
【００３５】
図３〜５において、該円筒形消波体Ｂの両端の該円筒形消波ブロックＣ、Ｃに夫々エンドカバー２４、２４を一体に設け、該円筒形消波装置Ｂの外周面下部長手方向に逆Ｕ字形ウエイトバランサ２８を一体に設ける。
【００３６】
該逆Ｕ字形ウエイトバランサ２８の天板２８ａの中心線に一定間隔でボルト貫通孔２８ｂ・・・を穿設し、その側板２８ｃ、２８ｃの中間部長手方向に一定間隔で後述の重量調整用錘３０の支持棒３２の貫通孔２８ｄ・・・を穿設する。
【００３７】
図３〜４において、請求項２記載の発明に係る競艇場の円錐形ターンマークＡに円筒形消波装置Ｂを接続するターンマーク接続金具Ｆの実施例を説明する。
【００３８】
該ターンマーク接続金具Ｆは、スプリング４０の中にチェーン又はワイヤーを貫通し、それらの各一端を該円錐形ターンマークＡの底面中心に連結し、他端を該円筒形消波装置Ｂの該逆字形ウエイトバランサ２８、２８の中心該側板２８ｃ、２８ｃの先端の該貫通孔２８ｄ、２８ｄに嵌合又はボルトで連結して二等辺三角形として接続する。
【００３９】
従って図３に示す通リ、該レース艇が該円錐形ターンマークＡに接触してそれが点線し示す位置にしても、２本の該ターンマーク接続金具Ｆ、Ｆにより速やかに定位置に復帰するのでレースに障害が生じない。
【００４０】
請求項３記載の発明に係る競艇場の円錐形ターンマークＡに円筒形消波装置Ｂにおいては、先端の、重量調整用錘３０は、所要の重量を有する数種類のタイプを用意するが、それら調整用錘３０、３０・・・に貫通する該支持棒３２の貫通孔３０ｂ・・・の直径は略同一とする。
【００４１】
所望タイプの重量調整用錘３０を選択し、該逆Ｕ字形ウエイトバランサ２８の一方の該側板２８ａの該貫通孔２８ｄから該重量調整用錘３０の貫通孔３０ｂ及びに他方の該側板２８ｃの貫通孔２８ｄに該支持棒３２を貫通する。
【００４２】
図６、７において、請求項４記載の発明に係る競艇場の円錐形ターンマークＡに接続される円筒形消波装置Ｂの実施例は、所要に応じ、該逆Ｕ字形ウエイトバランサ２８の該両側板２８ｃ、２８ｃの長手方向所要箇所のボルト貫通孔２８ｄ・・・の位置と、該重量調整用錘３０とを適宜選択すれば、該円筒形消波装置Ｂの重量や水面に対する浮力調節が容易となる。
【図面の簡単な説明】
【００４３】
【図１】この発明に係る競艇場の円錐形ターンマークに接続された円筒形消波装置の実施例の正面略図；
【図２】図１に示す円錐形ターンマークと円筒形消波装置の右側部分正面略図；
【図３】図２に示す円錐形ターンマークと円筒形消波装置を上から見た部分平面略図；
【図４】図２に示す円筒形消波装置のＩＶ―ＩＶ線拡大断面略図；
【図５】図４に示す円筒形ブロックとそれを連結するジョイントを示す一部透視拡大部分断面略図；
【図６】図５に示す円筒形消波装置から取外した逆Ｕ字形ウエイトバランサの側面略図；
【図７】図６に示す逆Ｕ字形ウエイトバランサの拡大側面略図；
【図８】図７に示す逆Ｕ字形ウエイトバランサの部分拡大正面略図；
【図９】図８のエンドカバーの拡大正面略図；
【図１０】図９のエンドカバーの拡大正面略図；
【図１１】公知の円錐形ターンマークに接続される円筒形消波装置の部分拡大正面略図；
【図１２】図１１に示す公知の円筒形消波装置のＸＩＩ―ＸＩＩ線断面略図；
【図１３】公知の円錐形ターンマークに接続された円筒形消波装置の先端部の部分拡大正面略図；
【図１４】図１２に示す公知の円錐形ターンマークに接続された円筒形消波装置の先端部の部分拡大正面略図；
【図１５】公知の円錐形ターンマークに接続された円筒形消波装置の先端部の直径が縮小して水没し、宣伝・広告等が見えなくなった状態を示す斜視図。
【符号の説明】
【００４４】
Ａ  ・・・  円錐形ターンマーク；
Ｂ  ・・・  円筒形消波装置；
Ｃ  ・・・  円筒形ブロック；  
Ｄ  ・・・  消波ブロック；
Ｅ  ・・・  アンカー；
Ｆ  ・・・  ターンマーク接続金具；
１０  ・・・  第１網状円筒体；
１２  ・・・  第２網状円筒体；
１４ａ  ・・・上部半円形収納室；
１４ｂ  ・・・下部半円形収納室；
１６  ・・・  消波円筒管；
１８  ・・・  扇形浮力体（ハの字形）；
２０  ・・・  扇形水室；
２２  ・・・  金属製リング；
２２ａ  ・・・  ボルト貫通孔；
２４  ・・・  エンドカバー；
２６  ・・・  ジョイント；
２８  ・・・  逆Ｕ字形ウエイトバランサ；
２８ａ  ・・・  天板；
２８ｂ  ・・・  ボルト貫通孔；
２８ｃ  ・・・  側板；
２８ｄ  ・・・  貫通孔
３０  ・・・  調整用錘；
３０ａ  ・・・  支持棒の貫通孔；
３２  ・・・  支持棒；  
３４  ・・・  係留バンド；
４０  ・・・  シャックル；
４２    ・・・  チェーン；
５０  ・・・  連続ネット状外筒；
５２  ・・・  筒状小管；
５４  ・・・  紐又は金属製バンド；
５６  ・・・  ワイヤロープ；
５８  ・・・  亜鉛メッキ鋼管。
【図１】
2010150783.tif 000003
【図２】
2010150783.tif 000004
【図３】
2010150783.tif 000005
【図４】
2010150783.tif 000006
【図５】
2010150783.tif 000007
【図６】
2010150783.tif 000008
【図７】
2010150783.tif 000009
【図８】
2010150783.tif 000010
【図９】
2010150783.tif 000011
【図１０】
2010150783.tif 000012
【図１１】
2010150783.tif 000013
【図１２】
2010150783.tif 000014
【図１３】
2010150783.tif 000015
【図１４】
2010150783.tif 000016
【図１５】
2010150783.tif 000017
【手続補正書】
【提出日】平成21年11月18日(2009.11.18)
【手続補正１】
【補正対象書類名】特許請求の範囲
【補正対象項目名】全文
【補正方法】変更
【補正の内容】
【特許請求の範囲】
【請求項１】
所要長さと直径を有する第１網状円筒体と、該第１網状円筒体と同じ長さとそれよりやや小径の直径を有し、該第１網状円筒体内に収納された第２網状円筒体と、該第２網状円筒体内に形成された上部半円形収納室及び下部半円形収納室と、該上部半円形収納室内に収納された複数本の消波円筒管と、該下部半円形収納室内で中心から所要角度を有する一対の扇形浮力体（ハの字形）を形成し、該扇形浮力体の下辺と該下部半円形収納室の内辺との間に形成された大きな扇形水室とから成る円筒形消波ブロックと、該円筒形消波ブロックの両端に夫々一体に嵌合された一対の金属製リングと、隣接する該金属製リング内の内周に固着されたアングル・バー・ジョイントと、該各アングル・バー・ジョイントのボルト貫通孔内にボルトを螺合し、ナットを介して該円筒形消波ブロック同士を順次所要長さに連結して構成する円筒形消波装置と、両端の該円筒形消波ブロックに夫々一体に設けられたエンドカバーと、該円筒形消波装置の外周面下部長手方向に一体に設けられた逆Ｕ字形溝形鋼とから成る競艇場のターンマークに接続される消波装置。
【手続補正２】
【補正対象書類名】明細書
【補正対象項目名】全文
【補正方法】変更
【補正の内容】
【発明の詳細な説明】
【技術分野】
【０００１】
この発明は、競艇場の円錐形ターンマークに接続される消波装置に関し、更に詳しくは、競艇場水面中央に設けられる２個の円錐形ターンマークに接続される円筒形消波装置の改良に関する。
【背景技術】
【０００２】
図１〜３に示す様に、競艇場においては、周囲を赤と白の警告色に交互に着色された２個の円錐形ターンマークＡが、競艇場のスタンド正面の水面に３００ｍの間隔で浮遊状態で繋留され、円錐形ターンマークＡの底面は、シャックル４０、チェーン４２等で約３．５ｍの水底のアンカーＥに固定されている。
【０００３】
そして各ターンマークＡには、夫々２０ｍ以内の長さと直径約６３０ｃｍを有する各１本の略円筒形網状消波装置をターンマーク接続金具で連結し、水面に浮遊状態とすることが競艇法（昭和２６年法律第２４２号）で義務づけられている。
【０００４】
従来提案されている競艇場の円錐形ターンマークに接続される消波装置としては、
【特許文献１】特開２００１―１６４５３６，
【特許文献２】特開２００１―１６４５３７，
【特許文献３】特開２００２―２０５６８４、
【特許文献４】特開２００４―２７６７４５、等があげられる。
【発明の開示】
【発明が解決しようとする課題】
【０００５】
（１）図１０〜１３に示す通り、公知の競艇場の円錐形ターンマークＡに夫々浮遊状態で接続された円筒形消波装置Ｇは、長さ２０ｍの連続ネット状外筒５０内に複数本の筒状小管（ポリエチレン発泡体）５２・・・を紐５４等で縛った束を、曳き入れ作業を数回繰返しており、直径や円形状を形成する構造物が一切設けられてなく、紐又は金属製バンド５４を円筒形消波装置Ｇの周囲に設け、その下方で略中央の該筒状小管５２内にはワイヤロープ５６、亜鉛メッキ鋼管５８を貫通して外形を整えているが、この製作作業は、全て手作業による組立てであるから、一つ一つの製品にばらつきが多く、規格寸法の再現性がない。
【０００６】
（２）競艇場においては、６隻のレース艇が競走水面を１周約３５秒で３周回一斉に競走し、直線区間では最高速度約８０〜８３ｋｍ／ｈの高速度で競走し、第１、２番ターンマークをターンし、楕円形を描きながら競走するが、第１、２番ターンマークの周辺で大きな波を起こし、その影響で捩れた該円筒形消波装置Ｇが喫水線に一直線を保持出来なくなり、消波効果が減少し、宣伝・広告等を有する該円筒形消波装置Ｇが蛇行し、水没するので、宣伝・広告等が無くなる。
【０００７】
（３）図１０、１１に示す通リ、該円錐形ターンマークＡに接続された該円筒形消波装置Ｇの両端部の連続ネット状外筒の仕上げは、折畳んで紐５４で縛る方式なので、商品価値が上がらない。
【０００８】
（４）更に該円錐形ターンマークＡと該円筒形消波装置Ｇとを接続するために、その中心部にワイヤロープ５６を貫通しているが、その両端でリングを作り、チェーン４２等で接続するため、該円錐形ターンマークＡに接触し易く、スパン混撚ロープ等で縛り、該円筒形消波装置Ｇの下部に係留バンド連結金具を設けているから、接触したレース艇を損傷し易い。
【０００９】
（５）該円錐形ターンマークＡの該円筒形消波装置Ｇに接続された筒状小管５２、５２・・・を紐、針金、インシュレーティング・ロック（絶縁性締め金）等で縛っているので耐久性が得られない。
【００１０】
（６）図１３に示す通り、該円錐形ターンマークＡの付近では、エンジンの回転を上げ下げするので、水質はガソリンとオイルの混合物で汚染され、しかも浮力体である円筒形消波装置Ｇの耐薬品性、耐油性に限界があるので、経年変化により直径が減少し（痩せる状態）、正常な喫水線が保持できず、２〜３年で沈みがちとなるので交換せざるをえない。
【００１１】
（７）同じく図１０〜１３において、該円錐形ターンマークＡに接続された該円筒形消波装置Ｇは、水面で蛇行やその両端が前後方向に上下動するので喫水線に一直線を保持できず、消波効果も不十分であり、その影響で該円筒形消波装置Ｇが水没するので宣伝・広告等が得られなくなる。
【００１２】
（８）そして公知の競艇場の該円錐形ターンマークＡの該円筒形消波装置Ｇは、それを旋廻競走する６隻のレース艇の波浪を受けて両端が沈み易く、しかも長手方向に回転し易い。
【００１３】
（９）公知の競艇場の該円錐形ターンマークＡの該円筒形消波装置Ｇを海水の競艇場水面に設置した場合、その底に牡蠣が付着して増殖するので、その重量で浮力が減少して水没し、牡蠣の除去作業が海水面であるから難工事となる。
【課題を解決するための手段】
【００１４】
この発明は、前述の課題を解決するものであり、その要旨は、所要長さと直径を有する第１網状円筒体と、該第１網状円筒体と同じ長さとそれよりやや小径の直径を有し、該第１網状円筒体内に収納された第２網状円筒体と、該第２網状円筒体内に形成された上部半円形収納室及び下部半円形収納室と、該上部半円形収納室内に収納された複数本の消波円筒管と、該下部半円形収納室内で中心から所要角度を有する一対の扇形浮力体（ハの字形）を形成し、該扇形浮力体の下辺と該下部半円形収納室の内辺との間に形成された大きな扇形水室とから成る円筒形消波ブロックと、該円筒形消波ブロックの両端に夫々一体に嵌合された一対の金属製リングと、隣接する該金属製リング内の内周に固着されたアングル・バー・ジョイントと、該各アングル・バー・ジョイントのボルト貫通孔内にボルトを螺合し、ナットを介して該円筒形消波ブロック同士を順次所要長さに連結して構成する円筒形消波装置と、両端の該円筒形消波ブロックに夫々一体に設けられたエンドカバーと、該円筒形消波装置の外周面下部長手方向に一体に設けられた逆Ｕ字形溝形鋼とから成る競艇場のターンマークに接続される消波装置である。
【発明の効果】
【００１５】
（１）この発明に係る競艇場の円錐形ターンマークに接続される円筒形消波装置は、円筒形ブロック内の上部半円形収納室内に複数本の消波円筒管を収納し、下部半円形収納室内下部の扇形水室の一対の扇形浮力体（ハの字形）が該扇形水室内の水を挟込む作用をし、その回転を防止し、下部の逆Ｕ字形溝形鋼により円筒形消波装置の直線性を保持し、消波装置周辺に起こる波を確実に減衰、消波する効果を有し、その宣伝・広告等の効果が損なわれない。
【００１６】
（２）加えて競艇場の円錐形ターンマークに接続される消波装置によれば、該円筒形消波装置を海水の競艇場水面に設置した場合でも、該消波装置の外周面下部長手方向に一体に設けられた逆Ｕ字形溝形鋼の底に牡蠣が付着し難くなり、仮に牡蠣が付着してもその除去作業が容易となる。
【００１７】
（３）前述の様に、この発明に係る競艇場の円錐形ターンマークの消波装置は、隣接する該円筒形消波ブロック同士をジョイントにより接続し、該円筒形消波装置の周囲に連結金具やロープ等を設けていないから、仮に旋回航走するレース艇が衝突してもレース艇を損傷しない。
【００１８】
（４）最後にこの発明に係る円筒形消波装置の両端の円筒形消波ブロックに夫々エンドカバーを第２網状円筒体にボルトにより固着し、一体に設けたので、接触機会の多い円錐形ターンマークの損傷や破損を軽減する。
【発明を実施するための最良の形態】
【００１９】
この発明の競艇場における円錐形ターンマークに接続される消波装置を実施するための最良の形態は、第１網状円筒体と、該第１網状円筒体と同じ長さとそれよりやや小径の直径を有し、該第１網状円筒体内に収納された第２網状円筒体と、該第２網状円筒体内に形成された上部半円形収納室及び下部半円形収納室と、該上部半円形収納室内に収納された複数本の消波円筒管と、該下部半円形収納室内で中心から所要角度を有する一対の扇形浮力体（ハの字形）を形成し、該扇形浮力体の下辺と該下部半円形収納室の内辺との間に形成された大きな扇形水室とから成る円筒形消波ブロックと、該円筒形消波ブロックの両端に夫々一体に嵌合された一対の金属製リングと、隣接する該金属製リング内の内周に固着されたアングル・バー・ジョイントと、該各アングル・バー・ジョイントのボルト貫通孔内にボルトを螺合し、ナットを介して該円筒形消波ブロック同士を順次所要長さに連結して構成する円筒形消波装置と、両端の該円筒形消波ブロックに夫々一体に設けられたエンドカバーと、該円筒形消波装置の外周面下部長手方向に一体に設けられた逆Ｕ字形溝形鋼と、ターンマーク接続金具とから成る競艇場のターンマークに接続される消波装置である。
【実施例】
【００２０】
図１〜３において、請求項１記載の発明に係る競艇場の円錐形ターンマークに接続される円筒形消波装置の実施例を説明する。前述の通リ、競艇場水面中央に設けられる２個の円錐形ターンマークＡ、Ａは、周囲を赤と白の警告色に交互に着色されたもので、３００ｍの間隔で水面にチェーン４０により水底のアンカーＥに浮遊状態で繋留されている。
【００２１】
図４に示す様に、該各円錐形ターンマークＡに接続される円筒形消波装置Ｂは、競艇場のスタンド正面の水面に２０ｍ以内の長さと直径６３０ｃｍを有するポリエチレン又はポリエステル製第１網状（メッシュネット等）円筒体１０内に、それと同じ長さとそれよりやや小径の直径を有する第２網状円筒１２を収納して円筒形ブロックＤとする。
【００２２】
該第２網状円筒体１２内の上半部に上部半円形収納室１４ａを、下半部に下部半円形収納室１４ｂを夫々形成する。
【００２３】
該上部半円形収納室１４ａ内にそれと同じ長さと、それより相当狭い直径を有する複数本の消波円筒管１６（メッシュ、ネット等）を収納する。
【００２４】
図２〜４に示す様に、該第２網状円筒体１２内の該下部半円形収納室１４ｂ内で中心から所要角度、例えば２５°を有する一対の扇形浮力体（ハの字形）１８、１８を形成し、該扇形浮力体（ハの字形）１８、１８の下辺と該下部半円形収納室１４ｂの内辺との間に大きな扇形水室２０を形成する。
【００２５】
図４、５に示す様に、該円筒形ブロックＤの該第１網状（メッシュ、ネット等）円筒体１０の両端に、所要幅と直径を有する一対の金属製リング２２、２２を嵌合する。
隣接する該円筒形消波ブロックＤ、Ｄ同士の連結は、該円筒形消波ブロックＤの両端に嵌合される該金属製リング２２、２２の内周にアングル・バー・ジョイント２６（直角継ぎ板）を固着し、該アングル・バー・ジョイント２６の隣接辺２６ａに穿設した両方のボルト貫通孔２６ｂ、２６ｂ内にボルト２６ｃ、２６ｃ、ナット２６ｄ、２６ｄを介して順次所要長さに連結して、所要長さを有する円筒形消波装置Ｂとする。
【００２６】
図２において、該円筒形消波装置Ｂの両端の該円筒形消波ブロックＤ、Ｄに夫々エンドカバー２４、２４を一体に設け、該円筒形消波装置Ｂの外周面下部長手方向に逆Ｕ字形溝形鋼２８を一体に設ける。
【図面の簡単な説明】
【００２７】
【図１】この発明に係る競艇場の円錐形ターンマークに接続された円筒形消波装置の実施例の正面略図；
【図２】図１に示す円錐形ターンマークと円筒形消波装置の右側部分正面略図；
【図３】図２に示す円錐形ターンマークと円筒形消波装置を上から見た部分平面略図；
【図４】図２に示す円筒形消波装置のＩＶ―ＩＶ線拡大断面略図；
【図５】隣接する円筒形消波ブロック同士のジョイントによる連結を示す一部透視拡大部分断面略図；
【図６】図４に示す逆Ｕ字形溝形鋼の拡大側面略図；
【図７】図４に示す逆Ｕ字形溝形鋼の部分拡大正面略図；
【図８】図２に示すエンドカバーの拡大正面略図；
【図９】図２に示すエンドカバーの拡大側面略図；
【図１０】公知の円錐形ターンマークに接続される円筒形消波装置の部分拡大正面略図；
【図１１】図１０に示す公知の円筒形消波装置のＸＩＩ―ＸＩＩ線断面略図；
【図１２】公知の円錐形ターンマークに接続された円筒形消波装置の先端部の部分拡大正面略図；
【図１３】公知の円錐形ターンマークに接続された円筒形消波装置の先端部の直径が縮小して水没し、宣伝・広告等が見えなくなった状態を示す斜視図。
【符号の説明】
【００２８】
Ａ  ・・・  円錐形ターンマーク；
Ｂ  ・・・  この発明に係る円筒形消波装置；
Ｄ  ・・・  円筒形消波ブロック；
Ｅ  ・・・  アンカー；
Ｆ  ・・・  ターンマーク接続金具；
Ｇ  ・・・  公知の円筒形消波装置；
１０  ・・・  第１網状円筒体；
１２  ・・・  第２網状円筒体；
１４ａ  ・・・上部半円形収納室；
１４ｂ  ・・・下部半円形収納室；
１６  ・・・  消波円筒管；
１８  ・・・  扇形浮力体（ハの字形）；
２０  ・・・  扇形水室；
２２  ・・・  金属製リング；
２２ａ  ・・・  金属性リングのボルト貫通孔；
２４  ・・・  エンドカバー；
２６  ・・・  ジョイント；
２６ａ  ・・・  ジョイントの隣接片；
２６ｂ  ・・・  ジョイントのボルト貫通孔；
２６ｃ・・・  ボルト；
２６ｄ・・・  ナット；
２８  ・・・  逆Ｕ字形溝形鋼；
２８ａ  ・・・  天板；
２８ｂ  ・・・  ボルト貫通孔；
２８ｃ  ・・・  側板；
２８ｄ  ・・・  貫通孔
４０  ・・・  シャックル；
４２    ・・・  チェーン；
５０  ・・・  連続ネット状外筒；
５２  ・・・  筒状小管；
５４  ・・・  紐又は金属製バンド；
５６  ・・・  ワイヤロープ；
５８  ・・・  亜鉛メッキ鋼管。
６０  ・・・  係留バンド；

【手続補正３】
【補正対象書類名】図面
【補正対象項目名】全図
【補正方法】変更
【補正の内容】
【図１】
2010150783.tif 000018
【図２】
2010150783.tif 000019
【図３】
2010150783.tif 000020
【図４】
2010150783.tif 000021
【図５】
2010150783.tif 000022
【図６】
2010150783.tif 000023
【図７】
2010150783.tif 000024
【図８】
2010150783.tif 000025
【図９】
2010150783.tif 000026
【図１０】
2010150783.tif 000027
【図１１】
2010150783.tif 000028
【図１２】
2010150783.tif 000029
【図１３】
2010150783.tif 000030